(57)【要約】【課題】猟銃、あるいは射撃競技用銃などのように銃床を備えた銃に対して適用される新規な構造の銃床パッドであり、射撃時における衝撃・振動吸収性の面において優れた性能を有する銃床パッドを提供することにある。【解決手段】銃床部１２を備えた銃１１に対し、前記銃床部の端面１２ａに着脱可能に装着して用いる銃床パッド１であって、前記銃床パッドが、前記銃床部の端面に当接する硬質性の素材でなる基部部材２と、前記基部部材に固着される制振性素材でなる制振部材３とを含むものからなっており、前記基部部材が硬質ゴムにより構成され、前記制振部材が低反発性の衝撃・振動吸収性に優れた低反発性制振ゴム材でなることを特徴とする銃床パッド。【選択図】図１
2004184026.tif 000002
【特許請求の範囲】
【請求項１】
銃床部を備えた銃に対し、前記銃床部の端面に着脱可能に装着して用いる銃床パッドであって、前記銃床パッドが、前記銃床部の端面に当接する硬質性の素材でなる基部部材と、前記基部部材に固着される制振性素材でなる制振部材とを含むものからなり、前記基部部材が硬質ゴムにより構成され、前記制振部材が低反発性の衝撃・振動吸収性に優れた低反発性制振ゴム材でなることを特徴とする銃床パッド。
【請求項２】
前記制振部材が、前記低反発性制振ゴム材のうち、常温域（５〜３５℃）で優れた制振性能を有する材種でなり、これによって常温域環境下における銃の使用に適合する常温域環境用銃床パッドを構成してなることを特徴とする請求項１に記載の銃床パッド。
【請求項３】
前記制振部材が、前記低反発性制振ゴム材のうち、低温度域（−３０〜１５℃）で優れた耐寒性能を有する材種でなり、これによって低温度域環境下における銃の使用に適合する低温度域環境用銃床パッドを構成してなることを特徴とする請求項１に記載の銃床パッド。
【請求項４】
前記制振部材の外表面に、樹脂材あるいは木材などでなる肩当て部材を取り付けてなることを特徴とする請求項１〜請求項３のいずれかに記載の銃床パッド。
【発明の詳細な説明】
【０００１】
【発明の属する技術分野】
この発明は、狩猟の用に供する猟銃、あるいは射撃競技の用に供する射撃競技用銃などのように銃床を備えた銃に対して適用される新規な構造の銃床パッドであり、その改良に関するものである。
【０００２】
周知のように、銃砲のメーカーサイドでは、各ユーザーの要望に応じて仕様化された規格に基づいて各種の銃砲製品を製造し、末端のユーザーサイドでは、これらの製品のうち、用途および各自の体型に応じて最も適した銃を選別し、購入するもので、命中精度にかかわる銃身および銃床部の形状やバランスなどに重点が置かれ、特に、銃砲を使用する競技の実際に際しては、使用者の身体に合致するような銃床部を備えたものが求められてきている。
【０００３】
上記するような銃床部を備えた構造の銃により射撃を行う場合には、銃床部を肩などにあてがって用いるものであり、その射撃時における反動衝撃が大きなため、この反動衝撃を緩和するための工夫が必要であった。従来、銃利用者に対する射撃時における反動衝撃を吸収するための多くの工夫がなされてきている（特許文献１参照）。
【０００４】
【特許文献１】
特公平４−７４６４０号公報（第１図）
【０００５】
【発明が解決しようとする課題】
上記する従来の銃床パッドは、射撃時における反動衝撃を緩和する目的において、専ら、クッション性の改善のみを念頭におき、銃床部の端面にクッション性の高い弾力性のあるゴム材による銃床パッドとして提供されてきている。このクッション性のみを重んじた銃床パッドは、射撃時における衝撃・振動吸収性の面において充分なものではなく、しかも、弾力性を基礎としている点において、銃床部を肩にあてがう際、固定安定性に欠けるという問題点を有していた。
【０００６】
そこで、この発明は、上記するような従来技術にみられる上記する問題点を解決するべくなしたものであり、狩猟の用に供する猟銃、あるいは射撃競技の用に供する射撃競技用銃などのように銃床を備えた銃に対して適用される新規な構造の銃床パッドであり、射撃時における衝撃・振動吸収性の面において優れた性能を有する銃床パッドを提供することにある。
【０００７】
【課題を解決するための手段】
この発明は、上記の目的を達成するものであり、具体的には、銃床部を備えた銃に対し、前記銃床部の端面に着脱可能に装着して用いる銃床パッドであって、前記銃床パッドが、前記銃床部の端面に当接する硬質性の素材でなる基部部材と、前記基部部材に固着される制振性素材でなる制振部材とを含むものからなり、前記基部部材が硬質ゴムにより構成され、前記制振部材が低反発性の衝撃・振動吸収性に優れた低反発性制振ゴム材でなる銃床パッドを構成するものである。
【０００８】
さらに、この発明は、前記制振部材が、前記低反発性制振ゴム材のうち、常温域（５〜３５℃）で優れた制振性能を有する材種でなり、これによって常温域環境下における銃の使用に適合する常温域環境用銃床パッドを形成してなる銃床パッドを構成するものでもある。
【０００９】
さらにまた、この発明は、前記制振部材が、前記低反発性制振ゴム材のうち、低温度域（−３０〜１５℃）で優れた耐寒性能を有する材種でなり、これによって低温度域環境下における銃の使用に適合する低温度域環境用銃床パッドを形成してなる銃床パッドを構成するものでもある。
【００１０】
さらにまた、この発明は、前記制振部材の外表面に、樹脂材あるいは木材などでなる肩当て部材を取り付けてなる銃床パッドを構成するものでもある。
【００１１】
【発明の実施の形態】
以下、この発明になる銃床パッドについて、添付図面に示す具体的な実施例に基づいて詳細に説明する。
【００１２】
図１は、銃床部を備えた銃に対して、この発明になる銃床パッドを適用した具体的な一実施例を示すものであって、図１Ａは、その概略的な正面図であり、図１Ｂは、当該銃床パッド自体について、これを接合面側から見た概略的な側面図であり、図１Ｃは、前記銃の銃床部の端面に取り付ける一態様例を示す概略的な断面図である。一方、図２Ａおよび図２Ｂは、この発明になる銃床パッドについて、その異なる構造例を示すものである。
【００１３】
以下、この発明になる銃床パッドの具体的な構成例について詳細に説明する。この発明になる銃床パッド１が適用される銃１１は、銃床部１２を備えた構造のものであり、当該銃床パッド１は、銃床部１２の端面１２ａに対して着脱可能に装着して用いるものである。この発明になる銃床パッド１は、基本的には、前記銃床部１２の端面１２ａに当接する硬質性の素材でなる基部部材２と、前記基部部材２に固着される制振性素材でなる制振部材３とを含むものからなっている。前記基部部材２は、硬質ゴムにより構成され、前記制振部材３は、低反発性の衝撃・振動吸収性に優れた低反発性制振ゴム材により構成されている。
【００１４】
この発明において、銃床パッド１は、図１Ａならびに図２Ａに示すように、一枚の基部部材２に対して制振部材３を接合した構成を基本構成とし、前記基部部材２の一方の面側２ａが、前記銃床部１２の端面１２ａに整合する形状に形成されており、前記制振部材３の外表面側３ａが、肩当て面４として有効な形状に形成されている。
【００１５】
この発明において、前記基部部材２は、上記するように硬質ゴム材により構成されるものであり、例えば、天然ゴム、スチレンブタジエンゴム、ブタジエンゴム、クロロブレンゴム、ニトリルブタジエンゴム、ブチルゴムあるいはエチレンプロピレンゴムの何れかによって構成されるものである。
【００１６】
一方、前記制振部材３は、この発明において重要な構成部材であり、低反発性の衝撃・振動吸収性に優れた低反発性制振ゴム材からなっている。この低反発性制振ゴム材は、衝撃・振動吸収性に優れた制振ゴム材であり、外力を受けてもほとんど反発せず外力エネルギーを吸収する。この制振ゴム材は、物性並びに耐久性は一般のゴムと同等である。
【００１７】
この発明では、銃を使用する場合の環境、特に、その場の環境温度に応じて、当該銃床パッド１における制振部材３の材種選択がなされる。実際には、常温域環境下における銃の使用に適合する常温域環境用銃床パッドと、低温度域環境下における銃の使用に適合する低温度域環境用銃床パッドとが準備される。
【００１８】
前記常温域環境用銃床パッドは、当該銃床パッド１における制振部材３が、上記する低反発性制振ゴム材のうちで、常温域（５〜３５℃）で優れた制振性能を有する材種のものからなっている。これに対して、前記低温度域環境用銃床パッドは、当該銃床パッド１における制振部材３が、上記する低反発性制振ゴム材のうちで、低温度域（−３０〜１５℃）で優れた耐寒性能を有する材種のものからなっている。
【００１９】
この発明になる銃床パッド１は、図１Ｃに示すように、例えば、自体に設けた一対のネジ受け孔５を介して、前記銃床部１２の端面１２ａに対し、木ねじ６によって着脱可能に取り付けたものであってもよいし、あるいは、前記銃床部１２の端面１２ａに対し、適当な接着剤によって接着したものであってもよい。さらにまた、木ねじと接着剤の双方によるものであってもよい。
【００２０】
さらに、この発明になる銃床パッド１は、好ましい構成例として、例えば、図２Ｂに示すように、前記制振部材３の外表面３ａに、樹脂材あるいは木材などでなる肩当て部材７を取り付けたものであってもよい。
【００２１】
【発明の効果】
以上の構成になる、この発明の銃床パッドは、当該銃床パッド自体を、硬質ゴムでなる基部部材と、低反発性の衝撃・振動吸収性に優れた低反発性制振ゴム材でなる制振部材とにより構成したことにより、銃床を備えた銃に対して適用した場合、射撃時における衝撃・振動吸収性の面において優れた性能を有する点において極めて有効に作用するものといえる。
【００２２】
さらにまた、この発明になる銃床パッドは、当該銃床パッドにおける制振部材の材種選択をすることによって、銃を使用する場合の環境、特に、その場の環境温度に応じて、常温域環境下における銃の使用に適合する常温域環境用銃床パッド並びに低温度域環境下における銃の使用に適合する低温度域環境用銃床パッドとして準備することができ、その点においても極めて有効に作用するものといえる。
【図面の簡単な説明】
【図１】図１は、銃床部を備えた銃に対して、この発明になる銃床パッドを適用した具体的な一実施例を示すものであって、図１Ａは、その概略的な正面図であり、図１Ｂは、当該銃床パッド自体について、これを接合面側から見た概略的な側面図であり、図１Ｃは、前記銃の銃床部の端面に取り付ける一態様例を示す概略的な断面図である。
【図２】図２Ａ〜図２Ｂは、この発明になる銃床パッドについての異なる構造例を示す概略的な断面図である。
【符号の説明】
１  銃床パッド
２  基部部材
３  制振部材
４  肩当て面
２ａ  基部部材の一方の面側
３ａ  制振部材の外表面側
５  一対のネジ受け孔
６  木ねじ
７  樹脂材あるいは木材製肩当て部材
１０  基部部材に設けた複数の孔
１１  銃
１２  銃床部
１２ａ  銃床部の端面
【図１】
2004184026.tif 000003
【図２】
2004184026.tif 000004